【手続補正書】
【提出日】平成17年9月14日(2005.9.14)
【手続補正１】
【補正対象書類名】明細書
【補正対象項目名】特許請求の範囲
【補正方法】変更
【補正の内容】
【特許請求の範囲】
【請求項１】  アイテムを注文するためのクライアント・システムにおける方法であって、
前記クライアント・システムのクライアント識別子をサーバ・システムから受信すること、
前記クライアント・システムで前記クライアント識別子を永続的にストアすること、
アイテムを注文する時に、
前記アイテムを特定する情報を表示するとともに、前記特定されたアイテムを注文するのに実行すべきシングル・アクションの指示部分を表示し、
前記シングル・アクションが実行されることに応答して、前記特定されたアイテムの注文要求を前記クライアント識別子とともに前記サーバ・システムに送信することであって、前記クライアント識別子は、前記クライアント・システムのユーザによって予め与えられた購入者固有注文情報を特定し、前記ユーザは、前記アイテムを注文する時に前記サーバ・システムにログインする必要がないこと、および、
購入者固有注文情報を変更する時に、
前記ユーザの前記サーバ・システムへのログインを調整し、
更新された購入者固有注文情報を受信し、
前記更新された購入者固有注文情報を前記サーバ・システムに送信することにより、
前記ユーザが前記アイテムの注文時に前記サーバ・システムにログインする必要がなく、前記予め与えられた購入者固有注文情報を変更する時に前記サーバ・システムにログインする必要があることを特徴とする方法。
【請求項２】  前記購入者固有注文情報は、請求書発行情報を含むことを特徴とする請求項１に記載の方法。
【請求項３】  前記購入者固有注文情報は、出荷情報を含むことを特徴とする請求項１または２に記載の方法。
【請求項４】  前記クライアント・システムと前記サーバ・システムはインターネット経由で通信することを特徴とする請求項１、２または３に記載の方法。
【請求項５】  前記注文が生成されたことの確認を前記サーバ・システムから受信することをさらに備えたことを特徴とする請求項１ないし４のいずれかに記載の方法。
【請求項６】  前記シングル・アクションは、カーソルが前記表示された情報の事前定義エリア上に位置するときにマウス・ボタンをクリックすることを特徴とする請求項１ないし５のいずれかに記載の方法。
【請求項７】  前記表示は、前記クライアント・システムのユーザの同一性に関して前記サーバ・システムから与えられた部分的情報の表示を含むことを特徴とする請求項１ないし６のいずれかに記載の方法。
【請求項８】  前記表示は、前記サーバ・システムから与えられた部分的出荷情報の表示を含むことを特徴とする請求項１ないし７のいずれかに記載の方法。
【請求項９】  前記表示は、前記サーバ・システムから与えられた部分的支払い情報の表示を含むことを特徴とする請求項１ないし８のいずれかに記載の方法。
【請求項１０】  前記アイテムは、ショッピング・カート・モデルを使用して代替的に注文できることを特徴とする請求項１ないし９のいずれかに記載の方法。
【請求項１１】  前記サーバ・システムは、複数のアイテムの注文要求を１つの注文に結合することを特徴とする請求項１ないし１０のいずれかに記載の方法。
【請求項１２】  要求は、一定の時間間隔で送信される度に結合されることを特徴とする請求項１１に記載の方法。
【請求項１３】  要求は、９０分間隔で送信される度に結合されることを特徴とする請求項１１に記載の方法。
【請求項１４】  前記サーバ・システムが前記要求を受信した後に、前記要求は、同様の有用性で他のアイテムの注文における前記特定されたアイテムを含めることを特徴とする請求項１に記載の方法。
【請求項１５】  前記有用性は、短期間または長期間として類別されることを特徴とする請求項１４に記載の方法。
【請求項１６】  前記有用性は、短期間、中間の期間または長期間として類別されることを特徴とする請求項１４に記載の方法。
【請求項１７】  前記シングル・アクションの実行に応答して要求された前記アイテムの注文が、ある時間期間内にキャンセルされたことの指示を表示することをさらに備えたことを特徴とする請求項１ないし１６のいずれかに記載の方法。
【請求項１８】  前記時間期間は、９０分であることを特徴とする請求項１７に記載の方法。
【請求項１９】  複数のアイテムを注文するためのクライアント・システムにおける方法であって、
前記クライアント・システムのクライアント識別子をサーバ・システムから受信すること、
前記クライアント・システムで前記クライアント識別子を永続的にストアすること、
複数のアイテムの各々について、
前記アイテムを特定する情報を表示するとともに、前記特定されたアイテムを注文するのに実行すべきシングル・アクションの指示部分を表示し、
前記シングル・アクションが実行されることに応答して、前記特定されたアイテムの注文要求と、ユーザの購入者固有注文情報を特定する前記クライアント識別子とを前記サーバ・システムに送信することにより、
前記サーバ・システムが、複数の注文を自動的に１つの注文に結合することを特徴とする方法。
【請求項２０】  前記要求された注文は、一定の時間間隔で送信される度に結合されることを特徴とする請求項１９に記載の方法。
【請求項２１】  前記要求された注文は、９０分間隔で送信される度に結合されることを特徴とする請求項１９に記載の方法。
【請求項２２】  前記要求された注文は、同様の有用性を有する要求されたアイテムの度に結合されることを特徴とする請求項１９に記載の方法。
【請求項２３】  前記有用性は、短期間または長期間として類別されることを特徴とする請求項２２に記載の方法。
【請求項２４】  前記有用性は、短期間、中間の期間または長期間として類別されることを特徴とする請求項２２に記載の方法。
【請求項２５】  前記クライアント・システムと前記サーバ・システムはインターネット経由で通信することを特徴とする請求項１９ないし２４のいずれかに記載の方法。
【請求項２６】  前記シングル・アクションは、カーソルが前記表示された情報の事前定義エリア上に位置するときにマウス・ボタンをクリックすることを特徴とする請求項１９ないし２５のいずれかに記載の方法。
【請求項２７】  前記表示は、前記クライアント・システムのユーザの同一性に関して前記サーバ・システムから与えられた部分的情報の表示を含むことを特徴とする請求項１９ないし２６のいずれかに記載の方法。
【請求項２８】  前記表示は、前記サーバ・システムから与えられた部分的出荷情報の表示を含むことを特徴とする請求項１９ないし２７のいずれかに記載の方法。
【請求項２９】  前記表示は、前記サーバ・システムから与えられた部分的支払い情報の表示を含むことを特徴とする請求項１９ないし２８のいずれかに記載の方法。
【請求項３０】  前記アイテムは、ショッピング・カート・モデルを使用して代替的に注文できることを特徴とする請求項１９ないし２９のいずれかに記載の方法。
【請求項３１】  前記シングル・アクションの実行に応答して要求された前記アイテムの注文が、ある時間期間内にキャンセルされたことの指示を表示することをさらに備えたことを特徴とする請求項１９ないし３０のいずれかに記載の方法。
【請求項３２】  前記時間期間は、９０分であることを特徴とする請求項３１に記載の方法。
【請求項３３】  アイテムを注文するためのクライアント・システムにおける方法であって、
前記クライアント・システムのクライアント識別子をサーバ・システムから受信すること、
前記クライアント・システムで前記クライアント識別子を永続的にストアすること、
前記アイテムを特定する情報を表示するとともに、前記特定されたアイテムを注文するのに実行すべきシングル・アクションの指示部分を表示すること、
前記シングル・アクションが実行されることに応答して、前記特定されたアイテムの注文要求を、ユーザの購入者固有注文情報を特定する前記クライアント識別子とともに前記サーバ・システムに送信すること、および、
要求された前記アイテムの前記注文を、ある時間間隔内にキャンセルすることができる指示を表示すること
を備えたことを特徴とする方法。
【請求項３４】  前記時間期間は、９０分であることを特徴とする請求項３３に記載の方法。
【請求項３５】  前記クライアント・システムと前記サーバ・システムはインターネット経由で通信することを特徴とする請求項３３または３４に記載の方法。
【請求項３６】  前記シングル・アクションは、カーソルが前記表示された情報の事前定義エリア上に位置するときにマウス・ボタンをクリックすることを特徴とする請求項３３、３４または３５に記載の方法。
【請求項３７】  前記表示は、前記クライアント・システムのユーザの同一性に関して前記サーバ・システムから与えられた部分的情報の表示を含むことを特徴とする請求項３３ないし３６のいずれかに記載の方法。
【請求項３８】  前記表示は、前記サーバ・システムから与えられた部分的出荷情報の表示を含むことを特徴とする請求項３３ないし３７のいずれかに記載の方法。
【請求項３９】  前記表示は、前記サーバ・システムから与えられた部分的支払い情報の表示を含むことを特徴とする請求項３３ないし３８のいずれかに記載の方法。
【請求項４０】  前記アイテムは、ショッピング・カート・モデルを使用して代替的に注文できることを特徴とする請求項３３ないし３９のいずれかに記載の方法。
【請求項４１】  前記サーバ・システムは、複数のアイテムの注文要求を１つの注文に結合することを特徴とする請求項３３ないし４０のいずれかに記載の方法。
【請求項４２】  要求は一定の時間間隔で送信される度に結合されることを特徴とする請求項４１に記載の方法。
【請求項４３】  前記サーバ・システムが前記要求を受信した後に、前記要求は、同様の有用性で他のアイテムの注文における前記特定されたアイテムを含めることを特徴とする請求項３３ないし４２のいずれかに記載の方法。
【請求項４４】  アイテムを購入するためのクライアント・システムであって、
前記クライアント・システムのクライアント識別子をサーバ・システムから受信し、前記クライアント識別子を永続的にストアするコンポーネントと、
前記アイテムを特定する情報を、前記特定されたアイテムを注文するのに実行すべきシングル・アクションの指示部分とともに表示し、かつ、前記特定されたアイテムの注文要求を前記クライアント識別子とともに前記サーバ・システムに送信し、前記クライアント識別子は、ユーザによって予め与えられた購入者固有注文情報を特定し、前記ユーザは、前記アイテムを注文する時に前記サーバ・システムにログインする必要がないコンポーネントと、
前記ユーザの前記サーバ・システムへのログインを調整し、更新された購入者固有注文情報を前記ユーザから受信し、および、前記更新された購入者固有注文情報を前記サーバ・システムに送信するコンポーネントと
を備えたことを特徴とするクライアント・システム。
【請求項４５】  前記購入者固有注文情報は、請求書発行情報を含むことを特徴とする請求項４４に記載のクライアント・システム。
【請求項４６】  前記購入者固有注文情報は、出荷情報を含むことを特徴とする請求項４４または４５に記載のクライアント・システム。
【請求項４７】  前記シングル・アクションは、カーソルが前記表示された情報の事前定義エリア上に位置するときにマウス・ボタンをクリックすることを特徴とする請求項４４、４５または４６に記載のクライアント・システム。
【請求項４８】  前記アイテムは、ショッピング・カート・モデルを使用して代替的に注文できることを特徴とする請求項４４ないし４７のいずれかに記載のクライアント・システム。
【請求項４９】  前記サーバ・システムは、複数のアイテムの注文要求を１つの注文に結合することを特徴とする請求項４４ないし４８のいずれかに記載のクライアント・システム。
【請求項５０】  前記シングル・アクションの実行に応答して要求された前記アイテムの注文が、ある時間期間内にキャンセルされたことの指示を表示することをさらに備えたことを特徴とする請求項４４ないし４９のいずれかに記載のクライアント・システム。
【請求項５１】  アイテムの注文を生成するためのコンピュータ・システムにおける方法であって、
クライアント・システムのクライアント識別子を前記クライアント・システムに提供することであって、前記クライアント識別子は、ユーザの購入者固有注文情報に関連付けられ、前記クライアント・システムで永続的にストアされること、
１または複数のアイテムの各々について、
アイテムを特定する表示画面を前記クライアント・システムに提供し、前記表示画面は、前記特定されたアイテムを注文するのに実行すべきシングル・アクションの指示部分を含み、
前記特定されたアイテムの注文要求を前記クライアント・システムから受信し、前記注文要求は、前記シングル・アクションが実行されることに応答して送信され、前記注文要求は、前記クライアント識別子を含み、および、
１または複数の受信されたアイテムの要求の前記特定されたアイテムについて１つの注文を自動的に生成することにより、前記ユーザが前記特定されたアイテムを１つの注文に結合することを指定する必要がないことを特徴とする方法。
【請求項５２】  前記要求された注文は、一定の時間間隔で送信される度に１つの注文に結合されることを特徴とする請求項５１に記載の方法。
【請求項５３】  前記要求された注文は、９０分間隔で送信される度に１つの注文に結合されることを特徴とする請求項５１に記載の方法。
【請求項５４】  前記要求された注文は、同様の有用性を有する要求されたアイテムの度に１つの注文に結合されることを特徴とする請求項５１に記載の方法。
【請求項５５】  前記有用性は、短期間または長期間として類別されることを特徴とする請求項５４に記載の方法。
【請求項５６】  前記有用性は、短期間、中間の期間または長期間として類別されることを特徴とする請求項５４に記載の方法。
【請求項５７】  前記シングル・アクションは、カーソルが前記表示された情報の事前定義エリア上に位置するときにマウス・ボタンをクリックすることを特徴とする請求項５１ないし５６のいずれかに記載の方法。
【請求項５８】  前記アイテムは、ショッピング・カート・モデルを使用して代替的に注文できることを特徴とする請求項５１ないし５７のいずれかに記載の方法。
【請求項５９】  アイテムの注文を生成するためのコンピュータ・システムにおける方法であって、
クライアント・システムのクライアント識別子を前記クライアント・システムに提供することであって、前記クライアント識別子は、ユーザの購入者固有注文情報に関連付けられ、前記クライアント・システムで永続的にストアされること、
アイテムを特定する表示画面を前記クライアント・システムに提供することであって、前記表示画面は、前記特定されたアイテムを注文するのに実行すべきシングル・アクションの指示部分、および、前記アイテムの前記注文を、ある時間間隔内にキャンセルすることができる指示を含むこと、
前記クライアント・システムから、前記ユーザが前記シングル・アクションを実行したことの指示を前記クライアント識別子とともに受信すること、および
前記受信されたクライアント識別子に関連付けられた前記購入者固有注文情報を使用して、前記特定されたアイテムの注文を自動的に生成すること
を備えたことを特徴とする方法。
【請求項６０】  前記時間期間は、９０分であることを特徴とする請求項５９に記載の方法。
【請求項６１】  前記クライアント・システムと前記サーバ・システムはインターネット経由で通信することを特徴とする請求項５９または６０に記載の方法。
【請求項６２】  前記シングル・アクションは、カーソルが前記表示された情報の事前定義エリア上に位置するときにマウス・ボタンをクリックすることを特徴とする請求項５９、６０または６１に記載の方法。
【請求項６３】  前記表示画面は、ユーザを特定する情報を含むことを特徴とする請求項５９ないし６１のいずれかに記載の方法。
【請求項６４】  前記表示画面は、部分的出荷情報を含むことを特徴とする請求項５９ないし６３のいずれかに記載の方法。
【請求項６５】  前記表示画面は、部分的支払い情報を含むことを特徴とする請求項５９ないし６４のいずれかに記載の方法。
【請求項６６】  前記アイテムは、ショッピング・カート・モデルを使用して代替的に注文できることを特徴とする請求項５９ないし６５のいずれかに記載の方法。
【請求項６７】  アイテムの注文を生成するためのコンピュータ・システムにおける方法であって、
クライアント・システムのクライアント識別子を前記クライアント・システムに提供することであって、前記クライアント識別子は、ユーザの購入者固有注文情報に関連付けられ、前記クライアント・システムで永続的にストアされること、
アイテムを注文する時に、
アイテムを特定する表示画面を前記クライアント・システムに提供し、前記表示画面は、前記特定されたアイテムを注文するのに実行すべきシングル・アクションの指示部分を含み、
前記クライアント・システムから、前記ユーザが前記シングル・アクションを実行したことの指示を前記クライアント識別子とともに受信し、
前記受信されたクライアント識別子に関連付けられた前記購入者固有注文情報を使用して、前記特定されたアイテムの注文を自動的に生成すること、および、
購入者固有注文情報を変更する時に、
前記ユーザの前記コンピュータ・システムへのログインを調整し、
前記クライアント・システムから更新された購入者固有注文情報を受信し、
前記受信され更新された購入者固有注文情報に基づいて、前記ユーザのログインの前記クライアント識別子に関連付けられた前記購入者固有注文情報を更新すること
を備えたことを特徴とする方法。
【請求項６８】  前記購入者固有注文情報は、請求書発行情報を含むことを特徴とする請求項６７に記載の方法。
【請求項６９】  前記購入者固有注文情報は、出荷情報を含むことを特徴とする請求項６７または６８に記載の方法。
【請求項７０】  前記クライアント・システムと前記サーバ・システムはインターネット経由で通信することを特徴とする請求項６７、６８または６９に記載の方法。
【請求項７１】  前記シングル・アクションは、カーソルが前記表示された情報の事前定義エリア上に位置するときにマウス・ボタンをクリックすることを特徴とする請求項６７ないし７０のいずれかに記載の方法。
【請求項７２】  前記表示画面は、与えられた部分的出荷情報の表示を含むことを特徴とする請求項６７ないし７１のいずれかに記載の方法。
【請求項７３】  前記表示画面は、与えられた部分的支払い情報の表示を含むことを特徴とする請求項６７ないし７２のいずれかに記載の方法。
【請求項７４】  前記アイテムは、ショッピング・カート・モデルを使用して代替的に注文できることを特徴とする請求項６７ないし７３のいずれかに記載の方法。